(57)【特許請求の範囲】
【請求項１】
エレベータのかご上シーブを上方から覆うカバーを乗りかごの上部に支持する構造であって、
前記乗りかごの上部に設けられている構造体のうち前記かご上シーブを支持している支持手段から分離して配設されている分離構造体によって前記カバーを支持するとともに、
前記分離構造体は、前記乗りかごの上部において保守点検作業を行う作業員のための手摺りであり、
前記手摺りに固定したブラケットの下面に前記カバーを密着させて前記カバーを吊り下げた状態で支持することを特徴とするエレベータのかご上シーブカバー支持構造。
【請求項２】
エレベータのかご上シーブを上方から覆うカバーを乗りかごの上部に支持する構造であって、
前記乗りかごの上部に設けられている構造体のうち前記かご上シーブを支持している支持手段から分離して配設されている分離構造体によって前記カバーを支持するとともに、
前記分離構造体は、前記乗りかごの上部において保守点検作業を行う作業員のための足場であり、
前記足場に固定したブラケットの下面に前記カバーを密着させて前記カバーを吊り下げた状態で支持することを特徴とするエレベータのかご上シーブカバー支持構造。
【請求項３】
エレベータのかご上シーブを上方から覆うカバーを乗りかごの上部に支持する構造であって、
前記乗りかごの上部に設けられている構造体のうち前記かご上シーブを支持している支持手段から分離して配設されている分離構造体によって前記カバーを支持するとともに、
前記分離構造体は、前記乗りかごの上部に機器類を支持するための機器用構造体であり、
前記機器用構造体に固定したブラケットの下面に前記カバーを密着させて前記カバーを吊り下げた状態で支持することを特徴とするエレベータのかご上シーブカバー支持構造。
【請求項４】
前記カバーが、弾性防振部材を介して前記ブラケットに取り付けられていることを特徴とする請求項１乃至３のいずれか一項に記載したエレベータのかご上シーブカバー支持構造。
【発明の詳細な説明】
【技術分野】
【０００１】
本発明は、エレベータの乗りかご上で保守点検作業を行う作業員がかご上シーブに接触しないようにかご上シーブを覆うカバーに関し、より詳しくは、かご上シーブと巻き上げロープの接触に伴って発生する振動や騒音がカバーに伝わって増幅されないようにかご上シーブカバーを支持する構造に関する。
【背景技術】
【０００２】
従来、建物内の空間を効率良く利用するとともに日照権等の問題を回避するために、昇降路の上方に機械室を持たない、いわゆるマシンルームレスエレベータが種々開発され提案されている。
【０００３】
例えば、図７に示したマシンルームレスエレベータ（下記特許文献１を参照）において、乗りかご１は左右一対のかご側ガイドレール２Ｌ，２Ｒに案内されつつ昇降路内を昇降する。
乗りかご１の前面に設けられた左右一対のドア３Ｌ，３Ｒは、左右方向に開閉する。
乗りかご１を支持するかご枠は、乗りかご１の上方で左右方向に水平に延びる上梁４と、この上梁４の左右両端部に接続された左右一対の縦梁５Ｌ，５Ｒとを有している。
また、乗りかご１の上面と上梁４との間の上下方向の隙間には、上梁４に対して水平面内で傾斜して延びるシーブ支持梁６が設けられ、その長手方向中央部の上面が上梁４の長手方向中央部の下面に密着するように上梁４に接続されている。
そして、シーブ支持梁６の両端部の上面に固定されたブラケット７Ｌ，７Ｒにより、左右一対のかご上シーブ８Ｌ，８Ｒそれぞれ回転自在に支持されている。
【０００４】
左側のかご側ガイドレール２Ｌの上端部近傍に配設されたトラクションシーブ９は、前後方向に延びる回転軸を有した駆動装置１０によって回転駆動される。
トラクションシーブ９に巻き付けられた巻き上げロープ１１のうち乗りかご１側に延びる部分１１ａは、トラクションシーブ９から左側のかご上シーブ８Ｌに向かって下方に延びる部分、左右一対のかご上シーブ８Ｌ，８Ｒの間で水平に延びる部分、右側のかご上シーブ８Ｒから上方に延びて右側のヒッチ部１２Ｒに固定される部分とを有し、乗りかご１を２：１ローピングで懸架している。
また、巻き上げロープ１１のうち乗りかご１の左側面に沿って下方に延びる部分１１ｂは、図示されない釣合錘の上部に回転自在に支持されている錘側シーブに巻き付けられてから上方に延びて左側のヒッチ部１２Ｌに固定され、釣合錘を２：１ローピングで懸架している。
【０００５】
【特許文献１】特開２００４−１９０４号公報
【発明の開示】
【発明が解決しようとする課題】
【０００６】
ところで、上述した従来のマシンルームレスエレベータにおいては、保守点検作業を行う作業員が乗りかご１の上部に乗った状態で、点検のために乗りかご１を昇降させることがある。
この場合、乗りかご１上の作業員がかご上シーブ８Ｌ，８Ｒに接触することがないように、かご上シーブ８Ｌ，８Ｒがカバーによって覆われていることが好ましい。
また、このようなかご上シーブ用カバーの装着を法令等で義務付けている国もある。
【０００７】
しかしながら、かご上シーブ８Ｌ，８Ｒを覆うカバーをシーブ支持梁６や上梁４に取り付けると、かご上シーブ８Ｌ，８Ｒと巻き上げロープ１１の接触に伴って発生する振動や騒音がカバーに伝わって増幅され、乗りかご１の内部における静粛性や快適性を低下させてしまう。
【０００８】
そこで本発明の目的は、上述した従来技術が有する問題点を解消し、かご上シーブと巻き上げロープの接触に伴って発生する振動や騒音が伝わって増幅されないようにかご上シーブ用カバーを乗りかごに支持する構造を提供することにある。
【課題を解決するための手段】
【０００９】
上記の課題を解決する請求項１に記載した手段は、
エレベータのかご上シーブを上方から覆うカバーを乗りかごの上部に支持する構造であって、
前記乗りかごの上部に設けられている構造体のうち前記かご上シーブを支持している支持手段から分離して配設されている分離構造体によって前記カバーを支持するとともに、
前記分離構造体は、前記乗りかごの上部において保守点検作業を行う作業員のための手摺りであり、
前記手摺りに固定したブラケットの下面に前記カバーを密着させて前記カバーを吊り下げた状態で支持することを特徴とするエレベータのかご上シーブカバー支持構造である。
【００１０】
上記の課題を解決する請求項２に記載した手段は、
エレベータのかご上シーブを上方から覆うカバーを乗りかごの上部に支持する構造であって、
前記乗りかごの上部に設けられている構造体のうち前記かご上シーブを支持している支持手段から分離して配設されている分離構造体によって前記カバーを支持するとともに、
前記分離構造体は、前記乗りかごの上部において保守点検作業を行う作業員のための足場であり、
前記足場に固定したブラケットの下面に前記カバーを密着させて前記カバーを吊り下げた状態で支持することを特徴とするエレベータのかご上シーブカバー支持構造である。
【００１１】
上記の課題を解決する請求項３に記載した手段は、
エレベータのかご上シーブを上方から覆うカバーを乗りかごの上部に支持する構造であって、
前記乗りかごの上部に設けられている構造体のうち前記かご上シーブを支持している支持手段から分離して配設されている分離構造体によって前記カバーを支持するとともに、
前記分離構造体は、前記乗りかごの上部に機器類を支持するための機器用構造体であり、
前記機器用構造体に固定したブラケットの下面に前記カバーを密着させて前記カバーを吊り下げた状態で支持することを特徴とするエレベータのかご上シーブカバー支持構造である。
【００１２】
すなわち、請求項１〜３に記載したエレベータのかご上シーブカバー支持構造は、かご上シーブを支持している支持手段（シーブ支持梁および上梁）にカバーを直接取り付けるのではなく、この支持手段から分離して配設されている分離構造体によってカバーを支持するものであるから、かご上シーブと巻き上げロープの接触に伴って発生する振動や騒音が支持手段を介してカバーに伝わることがない。
これにより、振動や騒音がカバーに伝わって増幅され、乗りかごの内部における静粛性や快適性を低下させることがない。
また、かご上シーブカバーと分離構造体との間に高分子材料からなる弾性防振部材を介在させることにより、カバーに空中伝播した振動が分離構造体に伝わることを遮断することができる。
また、かご上シーブカバーそのものを制振鋼板から成形し、あるいはかご上シーブカバーの表面に高分子材料等の粘弾性材料からなる制振材料を付設することにより、かご上シーブカバーの振動を抑制することもできる。
【発明の効果】
【００１３】
本発明によれば、かご上シーブと巻き上げロープの接触に伴って発生する振動や騒音がカバーに伝わって増幅されないようにかご上シーブ用カバーを乗りかごに支持することができるから、乗りかご上の作業員がかご上シーブに接触することがないようにかご上シーブを確実に覆いつつ、乗りかごの内部における静粛性や快適性の低下を防止することができる。
【発明を実施するための最良の形態】
【００１４】
以下、図１乃至図６を参照し、本発明に係るエレベータのかご上シーブカバー支持構造の各実施形態について説明する。
なお、以下の説明においては、前述した従来技術と同一の部分には同一の符号を用いて重複した説明を省略するとともに、乗りかごのドアが開閉する方向を左右方向と、乗客が乗りかごに出入りする方向を前後方向と、鉛直方向を上下方向と言う。
【００１５】
第１実施形態
まず最初に図１を参照し、本発明に係るエレベータのかご上シーブカバー支持構造の第１実施形態について説明すると、図１に示したエレベータ１００は、図７に示した従来のエレベータに対し、かご上シーブ８Ｌ，８Ｒをそれぞれ覆う左右一対のかご上シーブカバー２０Ｌ，２０Ｒと、左右一対の作業用手摺り３０Ｌ，３０Ｒを追加したものであり、それ以外の部分の構成は図７に示したものと同一である。
そこで、図７に示した従来のエレベータに対し相違する部分について説明する。
【００１６】
左右一対のかご上シーブカバー２０Ｌ，２０Ｒは、前後左右に対称な形状であり、厚い鋼板を断面形状コ字型（図３）に折り曲げて形成したものであるが、乗りかご１の上梁４、シーブ支持梁６、および巻き上げロープ１１に接触することなく、かご上シーブ８Ｌ，８Ｒを上方、前方および後方から覆うように、その形状が定められている。
【００１７】
左右一対の作業用手摺り（分離構造体）３０Ｌ，３０Ｒは、左右に対称な形状であり、形鋼を溶接して組み立てたものであるが、左右一対のガイドレール２Ｌ，２Ｒと巻き上げロープ１１との間において、乗りかご１の上梁４およびシーブ支持梁６には接触することなく分離して配置されている。
具体的に説明すると、これらの作業用手摺り３０Ｌ，３０Ｒは、乗りかご１のかご枠を構成している前後一対の縦梁５ｆ，５ｒの上端部および左右一対の縦梁５Ｌ，５Ｒにそれぞれ接続されてシーブ支持梁６の下方において前後方向に延びる下側部材３１と、この下側部材３１の前端および後端に接続されて上方に延びる前後一対の縦部材３２，３３と、これらの縦部材３２，３３の上下方向の中間部分に接続されて前後方向に延びる中間部材３４と、縦部材３２，３３の上端部に接続されて前後方向に延びる上側部材３５とを有しており、その全体が乗りかご１に堅固に固定されている。
【００１８】
中間部材３４の下面にはブラケット３６が固定されており、左右一対のかご上シーブカバー２０Ｌ，２０Ｒを吊り下げた状態で支持する構造となっている。
このブラケット３６は、図３に示したように前後一対の形鋼３６ａ，３６ｂと厚手の鋼板３６ｃとを溶接して一体に組み立てたものであり、その下面にかご上シーブカバー２０Ｌ，２０Ｒの天板２０ａを密着させた状態でボルトナットを用いて固定するようになっている。
そして、かご上シーブカバー２０Ｌ，２０Ｒの前後の側板２０ｂ，２０ｃは、乗りかご１の上梁４およびシーブ支持梁６とは接触することなく離間している。
なお、図３において、参照符号３７で示した部材は作業用手摺りの中間部材３４を上梁４に固定するための固定部材であり、参照符号３８で示したものは巻き上げロープ１１の振れを防止する部材である。
【００１９】
すなわち、本第１実施形態のエレベータのかご上シーブカバー支持構造は、左右一対のかご上シーブ８Ｌ，８Ｒを回転自在に支持しているシーブ支持梁６や、シーブ支持梁６を支持している上梁４等の支持手段にかご上シーブカバー２０Ｌ，２０Ｒを直接取り付けるのではなく、シーブ支持梁６等から分離して配設されている作業用手摺り３０Ｌ，３０Ｒにブラケット３６を介して取り付ける構造である。
これにより、かご上シーブ８Ｌ，８Ｒと巻き上げロープ１１との接触に伴って発生する振動や騒音がシーブ支持梁６を介してかご上シーブカバー２０Ｌ，２０Ｒに直接伝達されることがない。
したがって、かご上シーブ８Ｌ，８Ｒに発生した振動や騒音がかご上シーブカバー２０Ｌ，２０Ｒに伝わって増幅され、乗りかご１の内部における静粛性や快適性を低下させることがない。
さらに、かご上シーブカバー２０Ｌ，２０Ｒは、上梁４およびシーブ支持梁６と共に左右一対のかご上シーブ８Ｌ，８Ｒをそれぞれ上方、前方、後方から覆っているから、乗りかご１の上で保守点検作業を行う作業員がかご上シーブ８Ｌ，８Ｒに接触することを確実に防止することができる。
【００２０】
変形例
次に図４を参照し、第１実施形態のかご上シーブカバーの支持構造の変形例について説明すると、この変形例の支持構造においては、かご上シーブカバー２０Ｌ，２０Ｒとブラケット３６との間に防振ゴム板（弾性防振手段）３９が介装されている。
これにより、かご上シーブカバー２０Ｌ，２０Ｒに空中伝播した振動が作業用手摺り３０Ｌ，３０Ｒに伝わり、あるいは作業用手摺り３０Ｌ，３０Ｒからかご上シーブカバー２０Ｌ，２０Ｒに振動が伝わることを遮断して、乗りかご１の内部における静粛性や快適性が低下することをより確実に防止することができる。
【００２１】
第２実施形態
次に図５を参照し、第２実施形態のエレベータ２００について説明すると、左右一対の手摺り（分離構造体）４０Ｌ，４０Ｒの構造が変更されている。
【００２２】
具体的に説明すると、これらの作業用手摺り４０Ｌ，４０Ｒは、形鋼を溶接して組み立てたものであるが、巻き上げロープ１１よりも乗りかご１の中央寄りに配置されており、シーブ支持梁６の下方において前後方向に延びる下側部材４１と、この下側部材４１の前端および後端に接続されて上方に延びる前後一対の縦部材４２，４３と、これらの縦部材４２，４３の上下方向の中間部分に接続されて前後方向に延びる中間部材４４と、縦部材４２，４３の上端間に掛け渡されて前後方向に延びる上側部材４５とを有し、その全体が乗りかご１に堅固に固定されている。
そして、中間部材４４の下面にブラケット４６が固定されており、左右一対のかご上シーブカバー２０Ｌ，２０Ｒをそれぞれ吊り下げた状態で支持する構造となっている。
【００２３】
すなわち、左右一対のかご上シーブカバー２０Ｌ，２０Ｒを支持する手摺り４０Ｌ，４０Ｒは、必ずしも乗りかご１のかご枠に固定されている必要はなく、シーブ支持梁６および上梁４から分離されていて、かご上シーブ８Ｌ，８Ｒと巻き上げロープ１１との接触に伴って発生する振動や騒音がシーブ支持梁６を介してかご上シーブカバー２０Ｌ，２０Ｒに直接伝達されなければ良いのである。
【００２４】
第３実施形態
次に図６を参照し、第３実施形態のエレベータ３００について説明すると、上述した第１実施形態および第２実施形態のエレベータ１００，２００に対し、かご上シーブカバー２０Ｌ，２０Ｒを支持するための分離構造体５０の構造が大幅に異なっている。
【００２５】
具体的に説明すると、この分離構造体５０は、乗りかご１の上で保守点検作業を行う作業員のための足場、あるいは乗りかご１の上部に搭載されるドア駆動装置、空調装置、制御機器等を支持するための基礎となる構造体であり、形鋼を溶接して組み立てたものであるが、前後一対の水平部材５１，５２および左右一対の水平部材５３，５４からなる矩形の枠部材の四隅を、乗りかご１のかご枠を構成している縦梁５ｆ，５Ｒにそれぞれ接続されている支持脚５５で支持したものである。
そして、左右一対の水平部材５３，５４の下面にブラケット５６が固定されており、左右一対のかご上シーブカバー２０Ｌ，２０Ｒをそれぞれ吊り下げた状態で支持する構造となっている。
【００２６】
すなわち、左右一対のかご上シーブカバー２０Ｌ，２０Ｒを支持する分離構造体５０もまた、シーブ支持梁６および上梁４から分離されていて、かご上シーブ８Ｌ，８Ｒと巻き上げロープ１１との接触に伴って発生する振動や騒音がシーブ支持梁６を介してかご上シーブカバー２０Ｌ，２０Ｒに直接伝達しない構造となっている。
【００２７】
以上、本発明に係るエレベータのかご上シーブカバー支持構造の一実施形態について詳しく説明したが、本発明は上述した実施形態によって限定されるものではなく、種々の変更が可能であることは言うまでもない。
例えば、上述したかご上シーブカバー２０Ｌ，２０Ｒは、いずれも厚い鋼板を折り曲げて成形したものであった。
これに対して、かご上シーブカバー２０Ｌ，２０Ｒを制振鋼板から形成し、あるいはかご上シーブカバー２０Ｌ，２０Ｒの表面に高分子材料等の粘弾性材料からなる制振材料を付設することにより、かご上シーブカバーの振動を抑制することもできる。
【図面の簡単な説明】
【００２８】
【図１】第１実施形態のかご上シーブカバー支持構造を適用したエレベータを示す斜視図。
【図２】図１中に示した右側のかご上シーブカバーを示す平面図。
【図３】図２中に示した矢印ＩＩＩ方向から見た側面図。
【図４】変形例のかご上シーブカバー支持構造を示す側面図。
【図５】第２実施形態のかご上シーブカバー支持構造を適用したエレベータを示す斜視図。
【図６】第３実施形態のかご上シーブカバー支持構造を適用したエレベータを示す斜視図。
【図７】従来のマシンルームレスエレベータを示す斜視図。
【符号の説明】
【００２９】
１  乗りかご
２Ｌ，２Ｒ  かご側ガイドレール
３Ｌ，３Ｒ  ドア
４  上梁
５Ｌ，５Ｒ  縦梁
５ｆ，５ｒ  縦梁
６  シーブ支持梁
７  ブラケット
８Ｌ，８Ｒ  かご上シーブ
９  トラクションシーブ
１０  駆動装置
１１  巻き上げロープ
１２Ｌ，１２Ｒ  ヒッチ部
２０Ｌ，２０Ｒ  かご上シーブカバー
２０ａ  天板
２０ｂ，２０ｃ  側板
３０Ｌ，３０Ｒ  作業用手摺り（分離構造体）
３１  下側部材
３２，３３  縦部材
３４  中間部材
３５  上側部材
３６  ブラケット
３７  固定部材
３８  振れ止め部材
４０Ｌ，４０Ｒ  作業用手摺り（分離構造体）
４６  ブラケット
５０  分離構造体
５６  ブラケット
１００  第１実施形態のかご上シーブカバー支持構造を適用したエレベータ
１１０  変形例のかご上シーブカバー支持構造を適用したエレベータ
２００  第２実施形態のかご上シーブカバー支持構造を適用したエレベータ
３００  第３実施形態のかご上シーブカバー支持構造を適用したエレベータ
【図１】
0004825475.tif 000002
【図２】
0004825475.tif 000003
【図３】
0004825475.tif 000004
【図４】
0004825475.tif 000005
【図５】
0004825475.tif 000006
【図６】
0004825475.tif 000007
【図７】
0004825475.tif 000008